(57)【要約】【課題】枠体を丸棒で構成することにより包装袋保持時の積層フィルム包装袋の表示をそのまま視認することができ、スパウトの保持器への装着も丸棒の脚部を開くという操作をすることなく、スライド挿入することによりワンタッチで包装袋を交換することができる、交換が容易なフィルム包装袋保持器を提供する。【解決手段】フィルム包装袋保持器１０は丸棒８および４でそれぞれ形成される左側部枠体７および右側部枠体３により構成されている。左側部枠体７の上部は略コの字状の包装袋係止部１が形成され、左側部枠体７と右側部枠体３の底部フレーム９ａ，６ａの間には補強フレーム１３，１４が掛け渡されている。スパウトを包装袋係止部１に差し込み挿入することにより包装袋を保持することができ、その表示もそのまま視認できる。【選択図】図１
0003203966.tif 000002
【実用新案登録請求の範囲】
【請求項１】
側部丸棒および底部丸棒で脚部となる側部枠体を左右に構成し、
一方の側部枠体の頂部には包装袋係止部を略コの字形状で形成し、該略コの字形状の差し込み入り口部分は奥位置に比較し僅かに狭い寸法であるとともにコの字形状の差し込み入り口は側面側になるように配置され、
側面側からフィルム包装袋のスパウトを前記包装袋係止部に挿入しても容易に引き出されないように、かつ正面側に包装袋が向くように保持することを特徴とするフィルム包装袋保持器。
【請求項２】
前記左右の側部枠体の側部側から見た形状は、底部丸棒の両端から側部丸棒が立ち上がり、側部丸棒の途中から所定の角度折曲がって延長され、頂部において前記右の側部枠体の先端と前記左の側部枠体の頂部に形成された包装袋係止部が一体に結合されてなることを特徴とする請求項１記載のフィルム包装袋保持器。
【請求項３】
前記左右の側部枠体の底部丸棒の間は、補強フレームで結合された構造であることを特徴とする請求項１または２記載のフィルム包装袋保持器。
【請求項４】
前記底部丸棒に滑り止め部材を取り付けたことを特徴とする請求項１，２または３記載のフィルム包装袋保持器。
【請求項５】
前記包装袋係止部を略コの字形状に代えて、一方が開口の曲形形状にしたことを特徴とする請求項１，２，３または４記載のフィルム包装袋保持器。
【考案の詳細な説明】
【技術分野】
【０００１】
本考案は、パウチなどのフィルム包装袋を吊り下げ係止し、その保持状態でポンプを押し下げ操作することができるフィルム包装袋保持器に関する。
【背景技術】
【０００２】
積層されたフィルムを袋状に形成し、その中に化粧品，シャンプーなどの、液体やゼリー状のものを収容した状態で下部が開き立脚も可能な包装体（パウチなど）が広く実施されている。
包装体にはその上部開口部分に外周に雄ネジを有するスパウトを熱溶着などにより取り付けた構造のものがあり、このような構造の包装体のスパウトにノズル付きポンプを取り付けることにより包装体から液体などを注ぎ出すことが可能である。この構造を利用した種々の商品が普及している。
【０００３】
この種の構造の商品をユーザーが使用する場合、パウチを立脚状態にしてポンプを押せば、内部の液体などを注ぎ出すことができるため、使い勝手を良くするためにパウチを立てた状態で保持するホルダーが提案されている。
【０００４】
さて、風呂場などでシャンプーを注ぎ出す従来の容器は、容器上部にノズル付きポンプを取り付け、自立している構造であり、上から手でポンプを押すことによりノズルよりシャンプーを注ぐことを可能としている。
内部のシャンプーがなくなれば、ポンプを取り外し、一方、補充用の容器の口を切って、切った口を開口した容器の口に当て補充用の容器内のシャンプーを補充する操作となる。かかる場合、補充用の容器の上部に設けた注ぎ口を、開口した容器の口の中または、上部に位置付けて補充シャンプーを零さずに注ぐことは困難であり、零さないように注ぐには神経を使うことになる。
【０００５】
これを避けるには、上述したノズル付きポンプを取り付けた積層フィルムなどで形成した包装体をホルダーに取り付け、包装容器内のシャンプーが無くなった場合、シャンプーが充填されているスパウト付きの容器と付け替えれば、シャンプー消耗時の交換が容易となる。また、容器に補充する際に水が混入する可能性が低くなるため、容器内の雑菌の繁殖を防ぎ、衛生的である。このような背景から積層フィルムで形成した包装袋を保持する保持具が必要になってくる。
【０００６】
特許文献１は詰め替え用包装体を容易に取り替え可能なポンプ付きホルダーおよびポンプ付きホルダーを利用した支持ユニットを提案したものである。
また、特許文献２は付け替え用の包装袋を容易に交換することができ、また、付け替え用の包装袋に表示された内容物の情報を見ることができポンプディスペンサーと付け替え用包装袋とからなるリフィル容器およびこれに用いるホルダーとからなる包装体を提案するものである。図４に示すものは特許文献２の付け替え用包装袋と同じ構造のものである。
【先行技術文献】
【特許文献】
【０００７】
【特許文献１】特開２０００−１４２８５１号公報
【特許文献２】特開２０１５−４２５５３号公報
【考案の概要】
【考案が解決しようとする課題】
【０００８】
特許文献１は包装体を容易に交換可能であるが、ポンプ付きホルダーの構造が複雑であり、安価に作ることができないことが考えられる。また、今回、考案者が提案する保持対象は図４に示すようなノズルを有するポンプ付きキャップをスパウトに取り付けた積層フィルム包装袋を支持する支持体であり、特許文献１はこの種の支持体とは機能的に異なった構造である。
特許文献２の図８にはホルダーの構造の詳細が示されている。本考案が対象とするノズルを有するポンプ付きの包装袋を図８のホルダーで支持するものである。この構造は板状の天面板が、正面板および床面板と一体に構成されたもので、保持部に容易に包装袋を装脱着可能としている。
【０００９】
しかしながら、正面板を前に向けて置く構造であるため、ユーザーは包装袋に記載してある表示を確認するために一旦、包装袋を外すか、またはホルダーの裏側から見る必要がある。すなわち、包装袋にどのような記述がなされているか、一見して理解することができず不便である。このような構造のホルダーを用いる場合、どのような包装袋が装着されているかを一見して確認するためには、例えば、正面板にそれを記載した用紙などを添付したり、記載したりする方法を講じる必要があり、包装袋の表面に機能や用法などを記す文字，写真，図柄などを利用することができない。なお、図８のホルダーを透明プラスチックで作れば、表示の確認は容易となるが、包装袋の寸法毎に成形金型を作成する必要があり、種々の寸法への対応は困難となる。
【００１０】
近年、積層フィルム包装袋に直接ディジタルプリントで印刷できるシステムが確立されているため、使用時には直接包装袋が見えることが要請されている。
上記問題に対処するものとして図５および図６に示す構造の保持部が考えられる。
図５は、透明のプラスチック容器であり、上部の開口部に図４のスパウトを横方向からスライド挿入し容器内部に包装袋を収納するようにしたものである。
また、図６は保持部材を所定の曲げ強度（所定太さ以上の直径）を有する丸棒により構成したもので、丸棒で形成される矩形状の孔にスパウトを嵌合する構造である。脚部の床に接する丸棒の間には、ばねが掛け渡されており、矢印２７の方向に脚部を引っ張ると、ばねの曲げに抗して矩形状の孔は矩形を形成しているコの字形状に分割されて左右に開く。この状態で一方のコの字形状部分にスパウトを嵌合させ、引っ張り力を解放すると、ばねの復元作用により２つのコの字形状部分は元の矩形状の孔に復元し、スパウトを保持させることができる。
【００１１】
図６に示す保持部材は、積層フィルムの包装袋のディジタルプリントをそのまま利用できるが、足部となる丸棒にばねを取り付けた構造であり、安価に提供しようとする要請に応える構造ではない。また、スパウトを取り付ける構造が、脚部を左右に開いた状態を保持し、包装袋のスパウト部分をコの字形状部分に嵌め込み、その状態を維持して他方のコの字形状部分を解放する操作をしなければならないため、装着に手間取るという問題がある。
【００１２】
本考案は、上記状況に鑑みなしたもので、その目的は、枠体を丸棒で構成することにより包装袋保持時の積層フィルム包装袋の表示をそのまま視認することができ、スパウトの保持器への装着も丸棒の脚部を開くという操作をすることなく、スライド挿入することによりワンタッチで包装袋を交換することができる操作が極めて容易なフィルム包装袋保持器を提供することにある。
【課題を解決するための手段】
【００１３】
前記目的を達成するために本考案による請求項１記載のフィルム包装袋保持器は、側部丸棒および底部丸棒で脚部となる側部枠体を左右に構成し、一方の側部枠体の頂部には包装袋係止部を略コの字形状で形成し、該略コの字形状の差し込み入り口部分は奥位置に比較し僅かに狭い寸法であるとともにコの字形状の差し込み入り口は側面側になるように配置され、側面側からフィルム包装袋のスパウトを前記包装袋係止部に挿入しても容易に引き出されないように、かつ正面側に包装袋が向くように保持することを特徴とする。
本考案による請求項２記載のフィルム包装袋保持器は、請求項１記載の考案において前記左右の側部枠体の側部側から見た形状は、底部丸棒の両端から側部丸棒が立ち上がり、側部丸棒の途中から所定の角度折曲がって延長され、頂部において前記右の側部枠体の先端と前記左の側部枠体の頂部に形成された包装袋係止部が一体に結合されてなることを特徴とする。
本考案による請求項３記載のフィルム包装袋保持器は、請求項１または２記載の考案において前記左右の側部枠体の底部丸棒の間は、補強フレームで結合された構造であることを特徴とする。
本考案による請求項４記載のフィルム包装袋保持器は、請求項１，２または３記載の考案において前記底部丸棒に滑り止め部材を取り付けたことを特徴とする。
本考案による請求項５記載のフィルム包装袋保持器は、請求項１，２，３または４記載の考案において前記包装袋係止部を略コの字形状に代えて、一方が開口の曲形形状にしたことを特徴とする。
【考案の効果】
【００１４】
上記構成によれば、図６と同じ丸棒を用いているのにも係わらず、包装袋を装着する場合、図６のような、保持器を両手を使って開き、その状態で包装袋のスパウトを嵌合させて開いた保持器を閉じるという操作に比較し、本考案よるフィルム包装袋保持器は、包装袋係止部にスライド挿入という操作だけで、包装袋を交換することができ、操作が簡単である。また、図６は丸棒の他にばね材を用いているのに対し、本考案によるフィルム包装袋保持器は丸棒を折曲加工および一部溶接しているため安価に製造することができる。
【図面の簡単な説明】
【００１５】
【図１】本考案によるフィルム包装袋保持器の実施の形態を示す図で、（ａ）は正面図，（ｂ）は右側面図，（ｃ）は左側面図，（ｄ）は（ｃ）を上から見た図をそれぞれ示している。
【図２】本考案によるフィルム包装袋保持器の実施の形態を示す斜視図である。
【図３】本考案によるフィルム包装袋保持器にスパウトを装着することによりフィルム包装袋を保持器で吊るした状態を示す図である。
【図４】本考案による保持器に保持されるフィルム包装袋の構造を説明するための図である。
【図５】透明プラスチックで作った保持器の一例を示す斜視図である。
【図６】細い丸棒で構成した保持器の一例を示す斜視図である。
【考案を実施するための形態】
【００１６】
以下、図面を参照して本考案の実施の形態を詳しく説明する。
図１は本考案によるフィルム包装袋保持器の実施の形態を示す図で、（ａ）は正面図，（ｂ）は右側面図，（ｃ）は左側面図，（ｄ）は（ｃ）を上から見た図をそれぞれ示している。
（ｂ）において、所定の長さの丸棒４を４ａ〜４ｆの個所で折曲加工して（ｂ）に示す形状の右側部枠体３を作る。右側部枠体３の両端部は４ｇの部分で溶着され底部フレーム６ａが形成され、閉ループ形状となる。
（ｃ）において、所定の長さの丸棒８を８ａ〜８ｊの個所で折曲加工して（ｃ）に示す形状の左側部枠体７を作る。左側部枠体７の両端部は８ｋの部分で溶着され底部フレーム９ａが形成され、閉ループ形状となる。
【００１７】
左側部枠体７の頂部の係止フレーム９ｂ，９ｃ，９ｄより構成される包装袋係止部１は、略コの字形状であり、Ｌ１の寸法はＬ２の寸法に比較し僅かに小さい形状になっている。Ｌ２の寸法は、包装袋に取り付けてあるスパウトの外径より僅かに大きめであり、Ｌ１の寸法はスパウトの外径よりわずかに小さくなっている。この係止フレーム９ｂ，９ｃ，９ｄで構成される形状は略コの字形状ではなく、丸形係止部１１になるように加工してもよい。
【００１８】
底部フレーム６ａと９ａの間には補強フレーム１３，１４がそれぞれ掛け渡され、補強フレーム１３，１４の端部が底部フレーム６ａと９ａに、１３ａ，１４ａの部分で溶着結合される。また、包装袋係止部１を構成する係止フレーム９ｃと右側部枠体３の上部フレーム６ｂとが９ｅの部分で溶着結合される。溶着部は、接着剤等による接着でもよく、補強ジグ等により固定されていてもよい。
【００１９】
フィルム包装袋保持器は、例えば、高さ２４０ｍｍ，正面側の幅が１００ｍｍ，側面側の幅８０ｍｍの寸法で製造される。これら寸法は保持すべきフィルム包装袋の高さが２３０ｍｍ，幅が１００ｍｍを想定した場合である。フィルム包装袋の大きさは種々あるため、その大きさに応じたフィルム包装袋保持器の高さ，正面側の幅，側面側の幅にする。
【００２０】
図２は本考案によるフィルム包装袋保持器の実施の形態を示す斜視図、図３は本考案によるフィルム包装袋保持器にフィルム包装袋を吊るした状態を示す図である。
図２において、矢印２６方向にフィルム包装袋保持器１０のスパウト２３部分を包装袋係止部１にスライド挿入して装着する。包装袋係止部１の開口部分の寸法Ｌ１はスパウト２３の外径より僅かに小さいため、スライド時に包装袋係止部１の開口部分を押し広げて奥に押し込む操作となる。奥まで装着すれば、包装袋係止部１の開口部分の寸法Ｌ１は元の幅に戻るため、フィルム包装袋保持器１０を外す方向に力を加えない限り、例えば傾いたり、倒れたりしても保持器からフィルム包装袋（パウチ）２０が容易に外れることはない。
【００２１】
図３において、フィルム包装袋（パウチ）２０に名称，機能，内容物のデータを表示する表示２１が例えば、ディジタルプリントによって印刷されている。フィルム包装袋（パウチ）２０の上部にはスパウト２３が熱溶着により取り付けられている。スパウト２３にノズル２５ａ付きポンプディスペンサ２５が取付部２４の螺合により取り付けられている。
フィルム包装袋（パウチ）２０が空になった場合、包装袋（パウチ）２０をスライドさせてフィルム包装袋保持器１０から外し、取付部２４を緩めてポンプディスペンサ２５を取り外す。
【００２２】
交換用のフィルム包装袋（パウチ）のスパウトにはキャップが取り付けられており、交換時は、そのキャップを外し、空きになった包装袋（パウチ）２０から取り外したポンプディスペンサ２５を取り付ける。
図３に示すように保持されるためフィルム包装袋の表示２１を、そのまま視認することができる。また、底部フレーム６ａ，９ａに滑り止めとなる部材を装着すれば、洗面台や化粧台の上，風呂場の床などにおいて、ポンプ操作した場合、横すべりしたり、倒れたりすることを防止できる。滑り止めとなる部材としては底部フレーム６ａ，９ａにゴム材を巻いたり、底部フレーム６ａ，９ａに表面がザラザラ構造の部材を取り付けたりする方法が考えられる。
【産業上の利用可能性】
【００２３】
パウチなどのフィルム包装袋を保持する保持器である。
【符号の説明】
【００２４】
１  包装袋係止部
３  右側部枠体
４，８  丸棒
４ａ〜４ｆ  折曲部
４ｇ  溶接部
６ａ，９ａ  底部フレーム
６ｂ  上部フレーム
７  左側部枠体
８ａ〜８ｊ  折曲部
８ｋ  溶接部
９ｂ，９ｃ，９ｄ  係止フレーム
９ｅ  溶接部
１０  フィルム包装袋保持器
１１  丸形係止部
１３，１４  補強フレーム
１３ａ，１４ａ  溶接部
２０  パウチ（包装袋）
２１  表示
２３  スパウト
２４  取付部
２５  ポンプディスペンサ
２５ａ  ノズル
２６，２７  矢印
【図１】
0003203966.tif 000003
【図５】
0003203966.tif 000004
【図２】
0003203966.tif 000005
【図３】
0003203966.tif 000006
【図４】
0003203966.tif 000007
【図６】
0003203966.tif 000008